(57)【特許請求の範囲】
【請求項１】
掬い方向前方側端が掬い方向と直交する方向に平坦な形状をした下掬い板と、
該下掬い板の上方に近接して略平行に保持されるとともに掬い方向前方側端が掬い方向と直交する方向に平坦な形状をした上掬い板と、
略逆Ｖ字形に折曲された形状であって掬い方向に押縮可能であり、掬い方向前端が前記上掬い板の掬い方向後端部に一体的に接続され、掬い方向後端側が前記下掬い板の掬い方向後端部に一体的に接続された把持部と、
を備えたことを特徴とするケーキサーバー。
【請求項２】
請求項１に記載のケーキサーバーにおいて、
前記上掬い板の掬い方向後端部を掬い方向と直交する方向に平坦な形状に形成するとともに上方へ折曲した形状のストッパーを設けたことを特徴とするケーキサーバー。
【請求項３】
請求項１または２に記載のケーキサーバーにおいて、
前記上掬い板の左右いずれかの端部の一部分に仕切り板を垂直に立設したことを特徴とするケーキサーバー。
【発明の詳細な説明】
【技術分野】
【０００１】
本発明は、カットされたケーキやピザを取り分ける際に使用するケーキサーバーに関する。
【背景技術】
【０００２】
従来、カットされたケーキやピザを取り分ける際には、ケーキサーバーが使用されている。従来公知のケーキサーバーとしては、特許文献１に記載の「ケーキ及びピザ用サーバー」がある。これは、ケーキ、ピザ等を分割し、すくい取ることができ、かつ簡単に折り畳み可能な使い捨ての組立式ケーキ及びピザ用サーバーを提供することを目的とする。
その構成は、可撓性を有する合成樹脂製の平板状一体成型からなり、先端が隅丸の三角形状をなし、少なくとも一側にカッターを有し、かつ基端近傍に先端側から順に３個の係合突起を突設してなるすくい部と、すくい部の基端に一端が折曲可能に接続された柄部の下片と、該下片の他端に折曲可能に接続された上片と、該上片に折曲可能に接続され、かつ係合突起に係合可能な係合孔を有する係合片とを備え、係合突起と係合孔を係合させて、すくい部及び柄部全体をフラット状にしてなると共に、係合突起と係合孔を係合させて、柄部をすくい部基端より後方斜め上方に立ち上げて側面視にて三角形状にしたものである。
【０００３】
【特許文献１】実開平６−７５２７２号公報
【発明の開示】
【発明が解決しようとする課題】
【０００４】
しかしながら、上述した「ケーキ及びピザ用サーバー」は、使い捨てであるために、省資源上好ましいものではない。また、上述した「ケーキ及びピザ用サーバー」は、すくい部にいったん載せたケーキやピザを、次に皿等に置く場合は、すくい部を傾斜させてケーキやピザの自重ですくい部から滑り落ちるようにしているため、ケーキやピザの底面とすくい部表面が粘着した場合は、ケーキやピザがなかなか落ちてくれないという使い勝手上の問題があった。
そこで、本発明では、すくいとったケーキ等をワンタッチで取り置くことのできるケーキサーバーを提案することを目的とした。
【課題を解決するための手段】
【０００５】
上記課題を解決するために、本発明に係るケーキサーバーは、掬い方向前方側端が掬い方向と直交する方向に平坦な形状をした下掬い板と、該下掬い板の上方に近接して略平行に保持されるとともに掬い方向前方側端が掬い方向と直交する方向に平坦な形状をした上掬い板と、略逆Ｖ字形に折曲された形状であって掬い方向に押縮可能であり、掬い方向前端が前記上掬い板の掬い方向後端部に一体的に接続され、掬い方向後端側が前記下掬い板の掬い方向後端部に一体的に接続された把持部とを備えたことを特徴とする。
【０００６】
また、本発明に係るケーキサーバーは、前記ケーキサーバーにおいて、前記上掬い板の掬い方向後端部を掬い方向と直交する方向に平坦な形状に形成するとともに上方へ折曲した形状のストッパーを設けることが可能である。同様に、前記ケーキサーバーにおいて、前記上掬い板の左右いずれかの端部の一部分に仕切り板を垂直に立設することが可能である。
【発明の効果】
【０００７】
以上述べたように本発明によれば、上掬い板および下掬い板をケーキ片の下側に挿入して、さらに把持部を押縮して下掬い板を前進させた後、上掬い板および下掬い板によりケーキ片を掬い取り、次いで、ケーキ片を置く場合は、前記把持部を前傾させながら前記把持部の押縮を復帰させることで下掬い板が上掬い板の下側へ後退してケーキ片を置くことが可能となる。それにより、ケーキ片の底面と上下掬い板表面とが粘着した場合でも、下掬い板が上掬い板に対して後退するため、下掬い板に載置されていたケーキ片の前端側が上掬い板から突出して皿等に接触可能となることによりケーキサーバーの抜き取りが容易となり、取り分け作業が簡単かつ確実になる。
また、上掬い板に仕切り板を立設したことで、隣接するケーキ片との分離が容易・確実となり、取り分け作業がはかどる。
【発明を実施するための最良の形態】
【０００８】
以下、図に基づいて本発明の実施形態を説明する。図１〜図７は本発明に係るケーキサーバーの第１の実施形態を示し、図１は正面図、図２は右側面図、図３は平面図、図４は把持部を押縮した状態の右側面図、図５は同じく把持部を押縮した状態の平面図、図６および図７は使用状態を示す右側面図である。
【０００９】
図１〜図３において、図示されたケーキサーバーは図２および図３で図面の右側から左側への方向がケーキの掬い方向である。ケーキサーバーは金属薄板等の一枚板を折曲して形成されるか、樹脂により成形される。１はケーキサーバーの掬い方向前方側が短辺（上底）で後方側が長辺（下底）である台形状をした下掬い板であり、２は下掬い板１の上方に近接して略平行に保持されるとともに掬い方向前方側が短辺（上底）で後方側が長辺（下底）である台形状をした上掬い板である。３は略逆Ｖ字形に折曲され掬い方向に押縮可能であって掬い方向前端が上掬い板２の長辺中央部に一体的に接続され掬い方向後端が下掬い板１の長辺中央部に一体的に接続された帯板状の把持部である。
【００１０】
上掬い板２の掬い方向の長さつまり台形の高さが、下掬い板１の掬い方向の長さつまり台形の高さの略２分の１である。上掬い板２の掬い方向前端の幅つまり台形の短辺が、下掬い板１の掬い方向前端の幅つまり台形の短辺の略２倍である。上掬い板２の掬い方向前端と、下掬い板１の掬い方向前端が一致している。上掬い板２の掬い方向後端の幅つまり台形の長辺は、下掬い板１の掬い方向後端の幅つまり台形の長辺と略同じか、やや短い。下掬い板１および上掬い板２は、掬い方向の中心線に対して左右対称形であり、それぞれの斜辺の傾斜角が等しい。
【００１１】
また、図１および図２に示されるように、掬い方向における上掬い板２の長辺の右端部と、同じく上掬い板２の右側の斜辺の下端部とに、それぞれ仕切り板４，５が垂直に立設されている。仕切り板４は、上掬い板２にケーキ片を載置したときケーキ片の後端部が当接される。仕切り板５は、上掬い板２にケーキ片を載置するときそのケーキ片とそのケー片の右隣に位置するケーキ片とを分離するためのものである。図示例では、仕切り板４，５を、掬い方向における上掬い板２の右下隅に配設したが、左下隅に配設することも可能である。仕切り板４と仕切り板５は連続していても、離間していても良い。
【００１２】
次に、第１の実施形態のケーキサーバーの使用方法について説明する。使用に際しては、ケーキサーバーをケーキ片の下側に挿入する前に、把持部３を手で握り押縮する。その押縮した状態が、図４および図５の状態である。把持部３が押縮されると、上掬い板２が下掬い板１に対して後退し、把持部３の前部と後部が略平行な状態なまで押縮されると、上掬い板２と下掬い板１の斜辺が互いに略一致する。
なお、図４では、模式的に図示したため、上掬い板２と下掬い板１とが離間しているが、実際は、略密接している状態に近い。
【００１３】
次に、把持部３が押縮された状態で、上掬い板２と下掬い板１とを、掬いとる対象のケーキ片の下側へ挿入する。その状態を示したのが図６である。図６では、円柱状をしたケーキを中心から放射線状に等分割に切り分けられたケーキ片Ｃの右端が把持部３の前部分に当接している。また、上掬い板２の右下に立設されている仕切り板４，５も、ケーキ片Ｃの端部に当接して、ケーキ片Ｃの位置決めの作用をしている。
こうして掬いとられたケーキ片Ｃは、図７に示されるように、皿Ｐの上方に、ケーキサーバーを移動し、下掬い板１が、皿Ｐに接する程度の位置まで下降させて、把持部３の押縮を復元させる。
【００１４】
すると、下掬い板１が上掬い板２の下側へ後退することで、それまで、下掬い板１に当接していたケーキ片Ｃの底面の左側部分が皿Ｐに当接する。このとき把持部３は反時計方向へやや傾けることで、ケーキ片Ｃの底面の左側部分が皿Ｐに確実に当接することになる。
ケーキ片Ｃの底面の左側部分が皿Ｐに当接された手応えが感じられたら、そのまま把持部３を右方向へ後退させることで、ケーキ片Ｃの底面の右側部分に当接している上掬い板２を抜き取ることが可能となり、ケーキ片Ｃの底面全体が自重により皿Ｐに当接されて、ケーキ片Ｃが皿Ｐ上に置かれたことになる。
なお、図７ではケーキ片Ｃを、誇張して変形させた状態に示しているが、実際はこれほどには変形しない。
【００１５】
次に、本発明に係るケーキサーバーの第２の実施形態を説明する。図８〜図１０は第２の実施形態を示し、図８は正面図、図９は右側面図、図１０は平面図である。第２の実施形態は、下掬い板１１、上掬い板１２、把持部１３および仕切り板１５から構成され、下掬い板１１、上掬い板１２および把持部１３は、第１の実施形態の下掬い板１、上掬い板２および把持部３と同一に構成されている。仕切り板１５は、上掬い板１２の掬い方向に向かって右側の斜辺の前半部分に垂直に立設されている。
なお、仕切り板１５は、上掬い板１２の左側の斜辺に設けることも可能である。
【００１６】
仕切り板１５を設けたことで、ケーキサーバーを取り分けるケーキ片の下側に挿入するとき、取り分けるケーキ片とその右側に位置するケーキ片とを確実に分離することが可能となる。
また、ケーキサーバーを取り分けるケーキ片の下側に挿入するとき、取り分けるケーキ片の掬い方向の位置決めは、把持部１３の前部分で行われる。ケーキ片を取り分けるときの使用方法は、上述した第１の実施形態と同一である。
なお、図８〜図１０には、図示していないが、上掬い板１２の右下隅部に、第１の実施形態の仕切り板４，５と同一の仕切り壁を立設させることも可能である。
【００１７】
次に、本発明に係るケーキサーバーの第３の実施形態を説明する。
図１１〜図１３は第３の実施形態を示し、図１１は斜視図、図１２および図１３は使用状態の説明図である。
第３の実施形態は、下掬い板２１、上掬い板２２、把持部２３、仕切り板２４およびストッパー２５から構成されている。下掬い板２１はケーキサーバーの掬い方向前方側が短辺（上底）で後方側が長辺（下底）である台形状をしている。上掬い板２２は下掬い板２１の上方に近接して略平行に保持されるとともに掬い方向前方側が短辺（上底）で後方側が長辺（下底）である台形状をしている。不使用時すなわち自然状態では、下掬い板２１の先端が上掬い板２２の先端よりもやや突出している。
【００１８】
把持部２３は帯板状であって略逆Ｖ字形に折曲され、掬い方向に押縮可能であり、掬い方向前端が上掬い板２２の長辺中央部に一体的に接続され、掬い方向後端が前方側へ折曲され、その先端が下掬い板２１の長辺中央部に一体的に接続されている。上掬い板２２は、その掬い方向の長さおよび幅が、下掬い板２１の略２倍である。下掬い板２１および上掬い板２２は、掬い方向の中心線に対して左右対称形であり、それぞれの斜辺の傾斜角が略等しい。掬い方向における上掬い板２２の右側（図の奥側）の斜辺の前部分に、略半円形状をした仕切り板２４が垂直に立設されている。上掬い板２２の掬い方向後方側の長辺（下底）は上方へ折曲されてストッパー２５が形成されている。
【００１９】
すなわち、上掬い板２２、ストッパー２５および把持部２３は、連続一体に形成されている。仕切り板２４は、上掬い板２２にケーキ片を載置するときそのケーキ片とそのケーキ片の右隣に位置するケーキ片とを分離するためのものである。ストッパー２５は、上掬い板２２にケーキ片を載置したときケーキ片の後端部が当接される。
図示例では、仕切り板２４を、掬い方向における上掬い板２２の右端に配設したが、左端に配設することも可能である。
【００２０】
次に、第３の実施形態のケーキサーバーの使用方法について説明する。使用に際しては、把持部２３を手で握り、押縮することなく、下掬い板２１および上掬い板２２の先端をケーキ片Ｃの下側に挿入する。このとき、ケーキ片Ｃの右側面（図の奥側）の図示していない隣のケーキ片との間に、仕切り板２４を挿入する。
仕切り板２４を挿入することで、下掬い板２１および上掬い板２２の左右方向の位置決めがなされる。下掬い板２１および上掬い板２２の先端がケーキ片Ｃの下側に挿入されて、ストッパー２５がケーキ片Ｃの後端に当接されたら、把持部２３を押縮する。
すると、下掬い板２１が上掬い板２２の下側から前進して、ケーキ片Ｃの底面のより先端側に到達する。
【００２１】
この状態のまま把持部２３を上昇させることでケーキ片Ｃが持ち上げられて、移動することが可能となる。その移動状態が図１３である。図１３に示される状態で、ケーキ片Ｃを目的の皿等に運び、その皿の表面に、ケーキ片Ｃの底面の先端側であって下掬い板２１の前方部分を接触させる。
次に、把持部２３の押縮を復元させると同時に、把持部２３すなわちケーキサーバー全体を前傾させながら後方へ引き抜くことでケーキ片Ｃを皿の上に置くことができる。
【産業上の利用可能性】
【００２２】
本発明は、カットされたケーキ片を取り分ける以外に、カットされたプリン、ゼリー、ピザ、パン等の取り分けにも使用可能である。
【図面の簡単な説明】
【００２３】
【図１】本発明の第１の実施形態を示す正面図である。
【図２】本発明の第１の実施形態を示す右側面図である。
【図３】本発明の第１の実施形態を示す平面図である。
【図４】本発明の第１の実施形態の把持部を押縮した状態の右側面図である。
【図５】本発明の第１の実施形態の把持部を押縮した状態の平面図である。
【図６】本発明の第１の実施形態の使用状態を示す右側面図である。
【図７】本発明の第１の実施形態の使用状態を示す右側面図である。
【図８】本発明の第２の実施形態を示す正面図である。
【図９】本発明の第２の実施形態を示す右側面図である。
【図１０】本発明の第２の実施形態を示す平面図である。
【図１１】本発明の第３の実施形態を示す斜視図である。
【図１２】本発明の第３の実施形態の使用状態を示す説明図である。
【図１３】本発明の第３の実施形態の使用状態を示す説明図である。
【符号の説明】
【００２４】
１  下掬い板
２  上掬い板
３  把持部
４，５  仕切り板
１１  下掬い板
１２  上掬い板
１３  把持部
１５  仕切り板
２１  下掬い板
２２  上掬い板
２３  把持部
２４  仕切り板
２５  ストッパー
Ｃ  ケーキ片
Ｐ  皿
【図１】
0004976987.tif 000002
【図２】
0004976987.tif 000003
【図３】
0004976987.tif 000004
【図４】
0004976987.tif 000005
【図５】
0004976987.tif 000006
【図６】
0004976987.tif 000007
【図７】
0004976987.tif 000008
【図８】
0004976987.tif 000009
【図９】
0004976987.tif 000010
【図１０】
0004976987.tif 000011
【図１１】
0004976987.tif 000012
【図１２】
0004976987.tif 000013
【図１３】
0004976987.tif 000014